(57)【要約】      （修正有）【課題】計測装置のメモリ容量を増加させずとも、積算電力量を効率よく取得する。【解決手段】通信システム１は、計測装置１０とＨＧＷ２０とを具備する。計測装置１０は、取得部と送信部とを有する。取得部は、所定の時間帯ごとに計測された時間帯における電力量と電力量が計測された時間帯を示す時間情報とを取得する。送信部は、電力量の履歴データの送信要求を受けた場合に、送信要求に対応する電力量の履歴データを第１の記憶部から読み出して要求元に送信する。ＨＧＷ２０は、記憶部と、要求部と、積算電力量計算部とを有する。記憶部は、最新の積算電力量を基準データとして記憶する。要求部は、計測装置１０に対し電力量の履歴データの送信を要求する。積算電力量計算部は、計測装置１０から取得した電力量の履歴データと、基準データとを基に、計算対象の時刻における積算電力量を計算する。【選択図】図１
2019061411.tif 000002
【特許請求の範囲】
【請求項１】
通信機能を有する電力量計測装置と、前記電力量計測装置と通信を行う通信装置とを有する通信システムであって、
前記電力量計測装置は、
第１の記憶部と、
所定の時間帯ごとに計測された該時間帯における電力量と該電力量が計測された時間帯を示す時間情報とを取得し、取得した各電力量とそれぞれの前記時間情報とを対応付けた電力量の履歴データを前記第１の記憶部に格納する取得部と、
電力量の履歴データの送信要求を受けた場合に、送信要求に対応する電力量の履歴データを前記第１の記憶部から読み出して要求元に送信する送信部と、
を有し、
前記通信装置は、
所定の時間帯ごとに計測された電力量を積算した基準時間における積算電力量と、前記基準時間とを基準データとして記憶する第２の記憶部と、
前記電力量計測装置に対し前記電力量の履歴データの送信を要求する要求部と、
前記要求部の要求によって前記電力量計測装置から取得した前記電力量の履歴データと、前記基準データとを基に、計算対象の時刻における積算電力量を計算する積算電力量計算部と、
を有することを特徴とする通信システム。
【請求項２】
前記積算電力量計算部が計算した計算対象の時刻における積算電力量を保持する保持部をさらに有することを特徴とする請求項１に記載の通信システム。
【請求項３】
前記通信装置は、
他の装置に、前記積算電力量計算部が計算した積算電力量を出力する出力部をさらに有し、
前記積算電力量計算部は、要求期間における積算電力量を計算し、
前記出力部は、前記積算電力量計算部が計算した要求期間における積算電力量を出力することを特徴とする請求項１または２に記載の通信システム。
【請求項４】
通信機能を有する電力量計測装置と、前記電力量計測装置と通信を行う通信装置とを有する通信システムが実行する通信方法であって、
前記電力量計測装置は、第１の記憶部を有し、
前記通信装置は、所定の時間帯ごとに計測された電力量を積算した基準時間における積算電力量と、前記基準時間とを基準データとして記憶する第２の記憶部を有し、
前記電力量計測装置は、前記所定の時間帯ごとに計測された該時間帯における電力量と該電力量が計測された時間帯を示す時間情報とを取得し、取得した各電力量とそれぞれの前記時間情報とを対応付けた電力量の履歴データを前記第１の記憶部に格納する工程と、
前記通信装置は、前記電力量計測装置に対し前記電力量の履歴データの送信を要求する工程と、
前記電力量計測装置は、電力量の履歴データの送信要求を受けた場合に、送信要求に対応する電力量の履歴データを要求元に送信する工程と、
前記通信装置は、前記電力量計測装置から送信された前記電力量の履歴データと、前記基準データとを基に、計算対象の時刻における積算電力量を計算する工程と、
を含んだことを特徴とする通信方法。
【発明の詳細な説明】
【技術分野】
【０００１】
本発明の実施形態は、通信システム及び通信方法に関する。
【背景技術】
【０００２】
近年、家庭の電力使用量を計測して閲覧可能とする電力の見える化といった計測履歴システムがある。このようなシステムでは、定期的に電力量を計測する計測装置を有する。ここで、計測装置は、メモリの容量が少ないため、長期間の計測データの履歴を保存することはできない。このため、計測履歴システムとして、計測装置が計測データをサーバに送信し、サーバが計測データを保持し、計測した電力量を閲覧する際には、サーバから計測データを取り出してグラフ等を作成する構成が提案されている。
【０００３】
ここで、各機器が保持する計測データとして、サーバ側は、積算電力量を保持することが好ましい。計測した電力量を閲覧するユーザは、月間或いは年間のようなまとまった期間での積算電力量に興味を持つことが多く、サーバは、所定の時間帯ごとに積算電力量を保持することによって、ユーザが興味を持った期間の最初の積算電力量と最後の積算電力量との差を演算するだけで、閲覧の対象期間における積算電力量を提供することができるためである。例えば、２月の月間の積算電力量を提供する場合、サーバは、各累積積算電力量のうち、２月１日の０時のデータと、３月１日の０時のデータとの差を求めるだけでよく、２月の間の全所定時間帯ごとの電力量（差分電力量）を全て保持して２月中の各所定時間帯の電力量のデータを全て足し合わせるよりも効率よく積算電力量を計算できる。
【０００４】
一方で、計測装置は、十分な容量のメモリを搭載しているとは限らない。このため、計測装置が保持するデータとして、所定時間帯ごとに計測された該時間帯における電力量、すなわち、連続する２回の計測タイミングにおいて計測された電力量の差分電力量が、メモリ効率がよいため、選択されることが多い。
【０００５】
したがって、計測装置が保持するデータは、サーバが保持することが好ましい積算電力量ではなく、所定時間帯ごとの電力量である場合が多い。この場合、サーバは、月間或いは年間のようなまとまった期間での積算電力量をユーザに提供するまでに、この期間の全所定時間帯の電力量を全て足し合わせるという煩雑な処理を行う必要があり、電力の見える化のためのグラフ作成を効率よくできないという課題があった。
【先行技術文献】
【特許文献】
【０００６】
【特許文献１】特開２０１６−６６２１６号公報
【発明の概要】
【発明が解決しようとする課題】
【０００７】
本発明が解決しようとする課題は、計測装置のメモリ容量を増加させずとも、積算電力量を効率よく取得することである。
【課題を解決するための手段】
【０００８】
実施形態に係る通信システムは、通信機能を有する電力量計測装置と、前記電力量計測装置と通信を行う通信装置とを有する。前記電力量計測装置は、第１の記憶部と、取得部と、送信部と、を有する。取得部は、所定の時間帯ごとに計測された該時間帯における電力量と該電力量が計測された時間帯を示す時間情報とを取得し、取得した各電力量とそれぞれの前記時間情報とを対応付けた電力量の履歴データを前記第１の記憶部に格納する。送信部は、電力量の履歴データの送信要求を受けた場合に、送信要求に対応する電力量の履歴データを前記第１の記憶部から読み出して要求元に送信する。前記通信装置は、第２の記憶部と、要求部と、積算電力量計算部とを有する。第２の記憶部は、所定の時間帯ごとに計測された電力量を積算した基準時間における積算電力量と、前記基準時間とを基準データとして記憶する。要求部は、前記電力量計測装置に対し前記電力量の履歴データの送信を要求する。積算電力量計算部は、前記要求部の要求によって前記電力量計測装置から取得した前記電力量の履歴データと、前記基準データとを基に、計算対象の時刻における積算電力量を計算する。
【０００９】
また、実施形態に係る通信方法は、通信機能を有する電力量計測装置と、前記電力量計測装置と通信を行う通信装置とを有する通信システムが実行する通信方法であって、格納する工程と、要求する工程と、送信する工程と、計算する工程と、を含む。前記電力量計測装置は、第１の記憶部を有する。前記通信装置は、第２の記憶部を有する。第２の記憶部は、所定の時間帯ごとに計測された電力量を積算した基準時間における積算電力量と、前記基準時間とを基準データとして記憶する。格納する工程は、前記電力量計測装置が、前記所定の時間帯ごとに計測された該時間帯における電力量と該電力量が計測された時間帯を示す時間情報とを取得し、取得した各電力量とそれぞれの前記時間情報とを対応付けた電力量の履歴データを前記第１の記憶部に格納する。要求する工程は、前記通信装置が、前記電力量計測装置に対し前記電力量の履歴データの送信を要求する。送信する工程は、前記電力量計測装置が、電力量の履歴データの送信要求を受けた場合に、送信要求に対応する電力量の履歴データを要求元に送信する。計算する工程は、前記通信装置が、前記電力量計測装置から送信された前記電力量の履歴データと、前記基準データとを基に、計算対象の時刻における積算電力量を計算する。
【発明の効果】
【００１０】
本発明によれば、計測装置のメモリ容量を増加させずとも、積算電力量を効率よく取得することができる。
【図面の簡単な説明】
【００１１】
【図１】図１は、第１の実施形態に係る通信システムのシステム構成の一例を示す図である。
【図２】図２は、図１に示す計測装置の構成の一例を示す図である。
【図３】図３は、図２に示す差分電力量データ記憶部に記憶されるデータの一例を示す図である。
【図４】図４は、図１に示すＨＧＷの構成の一例を示す図である。
【図５】図５は、図４に示す基準データ記憶部に記憶される基準データの一例を示す図である。
【図６】図６は、図１に示すサーバの構成の一例を示す図である。
【図７】図７は、図６に示す積算電力量データ記憶部に記憶されるデータの一例を示す図である。
【図８】図８は、第１の実施形態に係る通信システムにおける動作の一例を示すシーケンス図である。
【図９】図９は、第１の実施形態に係る通信システムにおける動作の一例を示すシーケンス図である。
【図１０】図１０は、第１の実施形態に係る通信システムにおける動作の一例を示すシーケンス図である。
【図１１】図１１は、第２の実施形態に係る通信システムにおける動作の一例を示すシーケンス図である。
【図１２】図１２は、第２の実施形態に係る通信システムにおける動作の一例を示すシーケンス図である。
【図１３】図１３は、第１，第２の実施形態に係るＨＧＷの構成の他の例を示す図である。
【発明を実施するための形態】
【００１２】
以下で説明する実施形態に係る通信システム１は、通信機能を有する計測装置１０（電力量計測装置）と、計測装置１０と通信を行うＨＧＷ（ゲートウェイ装置）２０（通信装置）とを有する。計測装置１０は、記憶部１３と、取得部と１２ａと、送信部１２ｂと、を有する。取得部１２ａは、所定の時間帯ごとに計測された該時間帯における電力量と該電力量が計測された時間帯を示す時間情報とを取得し、取得した各電力量とそれぞれの時間情報とを対応付けた電力量の履歴データを記憶部１３に格納する。送信部１２ｂは、電力量の履歴データの送信要求を受けた場合に、送信要求に対応する電力量の履歴データを記憶部１３から読み出して要求元に送信する。ＨＧＷ２０は、記憶部２３と、要求部２２ａと、積算電力量計算部２２ｂとを有する。記憶部２３は、所定の時間帯ごとに計測された電力量を積算した基準時間における積算電力量と、基準時間とを基準データとして記憶する。要求部２２ａは、計測装置１０に対し電力量の履歴データの送信を要求する。積算電力量計算部２２ｂは、要求部２２ａの要求によって計測装置１０から取得した電力量の履歴データと、基準データとを基に、計算対象の時刻における積算電力量を計算する。
【００１３】
また、以下で説明する実施形態に係る通信システム１は、保持部３３１をさらに有する。保持部３３１は、積算電力量計算部２２ｂが計算した計算対象の時刻における積算電力量を保持する。
【００１４】
また、以下で説明する実施形態に係るＨＧＷ２０は、送信部２２ｃ（出力部）をさらに有する。送信部２２ｃは、他の装置に、積算電力量計算部２２ｂが計算した積算電力量を出力する。積算電力量計算部２２ｂは、要求期間における積算電力量を計算する。送信部２２ｃは、積算電力量計算部２２ｂが計算した要求期間における積算電力量を出力する。
【００１５】
また、以下で説明する実施形態に係る通信方法は、通信機能を有する計測装置１０と、計測装置１０と通信を行うＨＧＷ２０とを有する通信システム１が実行する通信方法であって、格納する工程と、要求する工程（Ｓ５）と、送信する工程（Ｓ５）と、計算する工程（Ｓ６）と、を含む。計測装置１０は、記憶部１３を有する。ＨＧＷ２０は、記憶部２３を有する。記憶部２３は、所定の時間帯ごとに計測された電力量を積算した基準時間における積算電力量と、基準時間とを基準データとして記憶する。格納する工程は、計測装置１０が、所定の時間帯ごとに計測された該時間帯における電力量と該電力量が計測された時間帯を示す時間情報とを取得し、取得した各電力量とそれぞれの時間情報とを対応付けた電力量の履歴データを記憶部１３に格納する。要求する工程（Ｓ５）は、ＨＧＷ２０が、計測装置１０に対し電力量の履歴データの送信を要求する。送信する工程（Ｓ５）は、計測装置１０が、電力量の履歴データの送信要求を受けた場合に、送信要求に対応する電力量の履歴データを要求元に送信する。計算する工程（Ｓ６）は、ＨＧＷ２０が、計測装置１０から送信された電力量の履歴データと、基準データとを基に、計算対象の時刻における積算電力量を計算する。
【００１６】
以下、図面を参照して、実施形態に係る通信システムを説明する。実施形態において同一の部位には同一の符号を付し、重複する説明は省略される。
【００１７】
［第１の実施形態］
まず、図１〜図１０を用いて、第１の実施形態に係る通信システムについて説明する。
【００１８】
［通信システムの構成］
まず、本発明の実施形態に係る通信システム１のシステム構成の一例について、図１を参照しながら説明する。図１は、第１の実施形態に係る通信システム１のシステム構成の一例を示す図である。図１に示す例において、通信システム１は、複数の計測装置１０と、複数のＨＧＷ２０と、サーバ３０とを具備する。
【００１９】
計測装置１０は、通信機能を有する電力量計測装置である。計測装置１０は、例えば、蓄電池の積算放電電力量を計測するメータであり、所定時間ごとに計測する。この計測装置１０が計測する積算電力量は、時間に応じて単調増加するものとする。計測装置１０は、メモリ量削減の観点から、所定時間ごとの積算電力量ではなく、所定時間帯ごとに計測された該時間帯における電力量、すなわち、所定時間ごとの積算電力量の差分電力量を履歴データとして記憶する。
【００２０】
なお、実施形態に係る計測装置は、上記に限定されるものではなく、太陽光発電装置のパワーコンディショナー（Power  Conditioning  System：PCS）や、分電盤等に設置された電力計測装置であってもよく、太陽光発電の積算発電電力量や系統電源から供給された電力量を計測するようにしてもよい。計測装置１０は、例えば、１時間ごとに、この１時間における消費電力量を計測し、数日から数十日程度の履歴データを保存し、それより古いデータが順次消えていくものとする。
【００２１】
そして、計測装置１０は、所定の時間帯ごとに計測された該時間帯における電力量と該電力量が計測された時間帯を示す時間情報とを取得し、取得した各電力量とそれぞれの時間情報とを対応付けた電力量の履歴データを記憶する。このように、計測装置１０は、メモリ効率がよいため、所定時間帯ごとに計測された該時間帯における電力量を、保持するデータとして選択する。
【００２２】
ＨＧＷ２０は、計測装置１０とサーバ３０との間の各種通信を中継するゲートウェイ装置である。ＨＧＷ２０は、計測装置１０が取得した履歴データを受信し、計算対象の時刻における積算電力量を計算する。ＨＧＷ２０は、計算した積算電力量を、時刻情報とともにサーバに送信する。なお、ＨＧＷ２０は、必要な時に計測装置１０から日付を遡って履歴データを取得できるものとする。
【００２３】
サーバ３０は、ＨＧＷが計算した積算電力量と、各積算電力量に対応する時刻情報とを、積算電力量データとして記憶する。サーバ３０は、例えば、複数の計測装置１０ごとに、それぞれの計測装置１０の積算電力量データを保持することで、家庭ごとの電力の利用状況を監視したり、月間或いは年間の積算電力量をユーザが閲覧できるようにしたりする。この際、サーバ３０は、閲覧要求された期間の積算電力量データを取り出してグラフ等を作成してもよい。なお、サーバ３０は、各家庭の家族構成を示す家族構成情報や電力の利用に関する契約内容を示す契約情報を記憶しているものとする。
【００２４】
この通信システム１は、計測装置１０が、所定時間ごとの積算電力量の差分電力量を履歴データとして保存し、ゲートウェイ装置２０が計測装置１０から履歴データを取り出して、計算対象となる時刻における積算電力量を計算する。そして、通信システム１は、ＨＧＷ２０が、計算した積算電力量を時刻データとともにサーバ３０に送信し、送信を受けたサーバ３０がＨＧＷから送信されたデータを積算電力量データとして保持する。通信システム１は、サーバ３０に蓄積された積算電力量データをグラフ化してユーザが閲覧できるようにした電力の見える化システムである。
【００２５】
この通信システム１は、ＨＧＷ２０が、サーバの保持対象である積算電力量を計算し、時刻情報とともにサーバ３０に送信するため、計測装置１０のメモリ容量を増加させずとも、サーバ３０は、積算電力量を効率よく取得することができる。
【００２６】
［計測装置の構成］
続いて、計測装置１０の構成について説明する。図２は、図１に示す計測装置１０の構成の一例を示す図である。計測装置１０は、通信部１１と、制御部１２と、記憶部１３と、を備える。
【００２７】
通信部１１は、無線通信処理や有線通信処理を行うためのネットワークデバイスである。具体的には、通信部１１は、図１に示したＨＧＷ２０との間で、無線通信により各種情報を送受信する。通信部１１は、例えば、ＨＧＷ２０に対して、履歴データを送信する。また、通信部１１は、ＨＧＷ２０から履歴データの要求を受信する。
【００２８】
記憶部１３は、例えば、ＲＡＭ（Random  Access  Memory)、フラッシュメモリ（Flash  Memory）などの半導体メモリ素子、または、ハードディスク、光ディスクなどの記憶装置によって実現される。記憶部１３は、差分電力量データ記憶部１３ａを有する。
【００２９】
差分電力量データ記憶部１３ａは、履歴データとして、所定時間ごとの積算電力量の差分電力量を示す差分電力量データを記憶する。図３は、図２に示す差分電力量データ記憶部１３ａに記憶されるデータの一例を示す図である。図３に示すように、差分電力量データ記憶部１３ａは、各「時間帯」と、各時間帯の積算電力量の「差分電力量（ｋＷｈ）」とを対応付けて記憶する。この各時間帯における積算電力量の差分電力量は、所定の時間帯ごとに計測された、該時間帯における使用電力量と言える。
【００３０】
例えば１時間ごとに積算電力量が計測される場合、図３に示すように、差分電力量データ記憶部１３ａは、１時間の時間帯ごとに計測された、該時間帯における電力量と、その時間帯とを対応付けて記憶する。例えば、「０：００−１：００」の時間帯に対し、この間の使用電力量「０．１ｋＷｈ」が記憶され、「１：００−２：００」の時間帯に対し、この間の使用電力量「１．２ｋＷｈ」が差分電力量データ記憶部１３ａに記憶される。
【００３１】
制御部１２は、例えば、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路であり、計測装置１０の全体制御を実行する。制御部１２は、取得部１２ａと、送信部１２ｂとを有する。
【００３２】
取得部１２ａは、所定時間ごとに積算電力量を取得すると、前回計測時の積算電力量と今回計測時の積算電力量との差分電力量を求め、求めた差分電力量に、該差分電力量に対応する時間帯を示す時間情報を対応付けて、差分電力量データ記憶部１３ａに記憶する。具体的には、計測装置１０は、１時間ごとに、累積した積算電力量を取得する。そして、計測装置１０は、積算電力量を取得すると、前回計測時の積算電力量と今回計測時の積算電力量との差分電力量を、この差分電力量に対応する時間帯を示す情報ととともに記憶する。
【００３３】
なお、図２に示す例では図示を省略したが、計測装置１０は、例えば、系統電源から施設に供給される電力の積算電力量を測定する積算電力計を有し、積算電力計が測定した積算電力量を取得することとなる。
【００３４】
また、計測装置１０は、積算電力計ではなく、施設における所定時間ごとの電力量を測定する電力計を有してもよい。この場合には、取得部１２ａは、積算電力量ではなく、所定の時間帯ごとに計測された該時間帯における電力量を取得する。そして、取得部１２ａは、所定の時間帯ごとに計測された該時間帯における電力量と、該電力量が計測された時間帯を示す時間情報とを取得し、取得した各電力量とそれぞれの時間情報とを対応付けた電力量の履歴データを差分電力量データ記憶部１３ａに記憶する。なお、以下の説明では、取得部１２ａは、積算電力量を取得して、時間帯ごとの差分電力量データを、履歴データとして差分電力量データ記憶部１３ａに記憶する例について説明する。
【００３５】
送信部１２ｂは、電力量の履歴データ（差分電力量データ）の送信要求をＨＧＷ２０から受けた場合には、送信要求に対応する電力量の差分電力量データを差分電力量データ記憶部１３ａから読み出して要求元のＨＧＷ２０に送信する。また、送信部１２ｂは、停電などの理由によりサーバ欠損した履歴データがある場合に、ＨＧＷ２０から差分電力量データの要求を受け付け、要求された時間帯に対応する差分電力量データを差分電力量データ記憶部１３ａから読み出して、ＨＧＷ２０に送信する。
【００３６】
［ＨＧＷの構成］
つづいて、図４を参照して、ＨＧＷ２０の構成について説明する。図４は、図１に示すＨＧＷ２０の構成の一例を示す図である。ＨＧＷ２０は、通信部２１と、制御部２２と、記憶部２３と、を備える。
【００３７】
通信部２１は、無線通信処理や有線通信処理を行うためのネットワークデバイスである。具体的には、通信部２１は、図１に示した計測装置１０およびサーバ３０との間で、無線通信により各種情報を送受信する。
【００３８】
通信部２１は、例えば、計測装置１０から差分電力量データ等のデータを受信し、制御部２２に出力する。また、通信部２１は、計測装置１０に対し、差分電力量データの要求を送信する。そして、通信部２１は、制御部２２において計算された積算電力量データを、サーバ３０に送信する。
【００３９】
記憶部２３は、例えば、ＲＡＭ、フラッシュメモリなどの半導体メモリ素子、または、ハードディスク、光ディスクなどの記憶装置によって実現される。記憶部２３は、基準データ記憶部２３ａを有する。
【００４０】
基準データ記憶部２３ａは、計算対象の時刻における積算電力量の計算の基準となるデータであり、基準となる時刻と、その時刻における積算電力量とを対応付けた基準データを記憶する。基準データ記憶部２３ａは、所定の時間帯ごとに計測された電力量を積算した積算電力量と、該積算電力量に対する最新の計測時間とを基準データとして記憶する。
【００４１】
図５は、図４に示す基準データ記憶部２３ａに記憶される基準データの一例を示す図である。図５に示すように、基準データ記憶部２３ａは、基準となる時刻「０：００」と、該時刻における積算電力量「１２３．４（ｋＷｈ）」と、を対応付けて記憶する。基準データ記憶部２３ａは、記憶部２３のうち、フラッシュメモリやハードディスク、光ディスクなどの不揮発領域に設けられる。
【００４２】
制御部２２は、例えば、ＣＰＵやＭＰＵなどの電子回路やＡＳＩＣやＦＰＧＡなどの集積回路であり、ＨＧＷ２０の全体制御を実行する。制御部２２は、要求部２２ａと、積算電力量計算部２２ｂと、送信部２２ｃとを有する。
【００４３】
要求部２２ａは、記憶部２３の不揮発領域に、基準となる積算電力量データが有るか否かを確認する。また、要求部２２ａは、受信すべき差分電力量データを計測装置１０から受信できているか否か、すなわち、欠損の有無を確認する。要求部２２ａは、確認結果を基に、計測装置１０に対し、差分電力量データの送信を要求する。
【００４４】
積算電力量計算部２２ｂは、要求部２２ａの要求によって計測装置１０から取得した差分電力量データと、基準データ記憶部２３ａに記憶された基準となる積算電力量データとを基に、計算対象の時刻における積算電力量を計算する。積算電力量計算部２２ｂは、受信すべき差分電力量データに欠損がある場合には、計測装置１０から、欠損部分の差分電力量データを取得し、取得した差分電力量データと基準データとを用いて、欠損部分に対応する積算電力量を計算する。積算電力量計算部２２ｂは、計算した積算電力量のうち最新の時刻の積算電力量と、時刻とを対応付けて、基準データ記憶部２３ａに基準データとして保存する。また、積算電力量計算部２２ｂは、サーバ３０から積算電力量の送信を要求された要求期間における積算電力量を計算する。
【００４５】
送信部２２ｃは、積算電力量計算部２２ｂが計算した積算電力量を、時刻情報を付し、通信部２１を介して、サーバ３０に出力する。送信部２２ｃは、積算電力量計算部２２ｂが計算した要求期間における積算電力量を出力する。
【００４６】
［サーバの構成］
次に、図６を参照して、サーバ３０の構成について説明する。図６は、図１に示すサーバ３０の構成の一例を示す図である。サーバ３０は、通信部３１と、制御部３２と、記憶部３３と、を備える。
【００４７】
通信部３１は、無線通信処理や有線通信処理を行うためのネットワークデバイスである。具体的には、通信部３１は、図１に示したＨＧＷ２０との間で、無線通信により各種情報を送受信する。通信部３１は、例えば、ＨＧＷ２０から、ＨＧＷ２０が計算した積算電力量を受信する。
【００４８】
記憶部３３は、例えば、ＲＡＭ、フラッシュメモリなどの半導体メモリ素子、または、ハードディスク、光ディスクなどの記憶装置によって実現される。かかる記憶部３３は、保持部３３１を有する。
【００４９】
保持部３３１は、積算電力量計算部２２ｂが計算した計算対象の時刻における積算電力量を保持する。保持部３３１は、毎正時の積算電力量を、時刻情報に対応付けた積算電力量データを記憶する積算電力量データ記憶部３３ａを有する。
【００５０】
図７は、図６に示す積算電力量データ記憶部３３ａに記憶されるデータの一例を示す図である。図６に示すように、積算電力量データ記憶部３３ａは、「時刻」と、各時刻の「積算電力量（ｋＷｈ）」とを対応付けて記憶する。例えば、毎正時の積算電力量がＨＧＷ２０から送信される場合には、積算電力量データ記憶部３３ａは、正時ごとの積算電力量を記憶する。例えば、「０：００」に対し、この時刻の積算電力量「１２３．４ｋＷｈ」が記憶され、「１：００」に対し、この間の積算電力量「１２３．５ｋＷｈ」が積算電力量データ記憶部３３ａに記憶される。
【００５１】
制御部３２は、例えば、ＣＰＵやＭＰＵなどの電子回路やＡＳＩＣやＦＰＧＡなどの集積回路であり、サーバ３０の全体制御を実行する。制御部３２は、格納部３２ａと、通知部３２ｂとを有する。
【００５２】
格納部３２ａは、ＨＧＷ２０から積算電力量を取得した場合には、この積算電力量と、該積算電力量に対応する時刻とを対応付けて積算電力量データ記憶部３３ａに格納する。また、格納部３２ａは、欠損部分に対応する積算電力量をＨＧＷ２０から受信した場合にも、これらの各積算電力量と、積算電力量に対応する各時刻とを対応付けて積算電力量データ記憶部３３ａに格納する。
【００５３】
通知部３２ｂは、自装置で記憶する積算電力量に関する通知をＨＧＷ２０に行う。
【００５４】
［通信システムの処理手順］
次に、図８を参照して、通信システム１における動作例を説明する。図８は、第１の実施形態に係る通信システム１における動作の一例を示すシーケンス図である。図８では、基準データがＨＧＷ２０内に保持されていない場合（例えば、初回など）の処理を示す。
【００５５】
図８に示すように、計測装置１０は、例えば１時間ごとに積算電力量を取得して差分量データを求め、新たに差分量データを求めた旨を状変通知としてＨＧＷ２０に送信する（ステップＳ１）。なお、ＨＧＷ２０から、計測装置１０に、変化の有無の確認を行ってもよい。この場合には、ＨＧＷ１０が例えば、１時間などの所定の時間ごとに計測装置１０に変化の有無の確認を要求する。ＨＧＷ２０は、計測装置１０から状変通知を受けると、不揮発領域の基準データの有無を確認し（ステップＳ２）、基準データがないことを確認した場合には（ステップＳ３）、基準となる積算電力量を０にセットする（ステップＳ４）。
【００５６】
続いて、ＨＧＷ２０は、計測装置１０に、計測量履歴データ（差分電力量）データを要求する（ステップＳ５）。計測装置１０は、例えば１時間ごとに差分電力量を取得するため、ＨＧＷ２０は、１時間前の差分電力量データを要求する。
【００５７】
そして、ＨＧＷ２０は、１時間前の差分電力量データを取得すると、取得した積算電力量を、０にセットした積算電力量に、取得した差分電力量を加算し、加算した結果の積算電力量と、現在時刻を不揮発領域に保存する（ステップＳ６）。記憶された積算電力量は、現在時刻、すなわち、最新時刻におけるものであり、ＨＧＷ２０による次の積算量計算処理において基準データとして使用される。
【００５８】
例えば、計測装置１０から取得した差分電力量が「１０ｋＷｈ」であり、この差分電力量に対応する時間帯が「１２−１３時」である場合、ＨＧＷ２０は、「１２時」の積算電力量を「０ｋＷｈ」、「１３時」の積算電力量を「１０ｋＷｈ」とする。そして、ＨＧＷ２０は、現在時刻と、計算した積算電力量とをサーバ３０に送信する（ステップＳ７）。サーバ３０は、受信した積算電力量の記憶部３３に保持すると、受信終了通知をＨＧＷ２０に通知する（ステップＳ８）。
【００５９】
次に、図９を参照して、通信システム１における別の動作例を説明する。図９は、第１の実施形態に係る通信システム１における動作の一例を示すシーケンス図である。図９では、基準データがＨＧＷ２０内に保持されている場合の処理を示す。
【００６０】
図９に示すように、図８で示す初回時の処理以降は、ＨＧＷ２０は、計測装置１０から状変通知を受ける（ステップＳ１１）と、基準データが有る場合には、不揮発領域から基準となる基準データとして、積算電力量Ｖと時刻情報Ｔを取り出す（ステップＳ１２）。なお、ＨＧＷ２０から、計測装置１０に、変化の有無の確認を行ってもよい。この場合には、ＨＧＷ１０が例えば、１時間などの所定の時間ごとに計測装置１０に変化の有無の確認を要求する。そして、ＨＧＷ２０は、計測装置１０に、１時間前の計測量履歴データ（差分電力量）データを要求し（ステップＳ１３）、計測装置１０は、１時間前の差分電力量ｖ１及びその時刻ｔ１を送信する（ステップＳ１４）。
【００６１】
ＨＧＷ２０は、基準データの時刻Ｔと、計測装置１０から送信を受けた差分電力量データの時刻ｔ１とを比較し、その差が１時間であるか否かを確認する。ＨＧＷ２０は、時刻Ｔと時刻ｔ１との差が１時間であることを確認した場合（ステップＳ１５）、基準データの積算電力量Ｖに差分量電力量ｖ１を加算して、時刻ｔ１における積算電力量を計算する（ステップＳ１６）。そして、ＨＧＷ２０は、計算した積算電力量を、最新の積算電力量として時刻と共に記憶部２３の不揮発領域に保存して（ステップＳ１７）、基準データを更新する。
【００６２】
続いて、ＨＧＷ２０は、現在時刻の積算電力量（積算電力量＝Ｖ＋ｖ１、時刻ｔ１）をサーバ３０に送信する（ステップＳ１８）。サーバ３０は、受信した積算電力量を記憶部３３に保持すると、受信終了通知をＨＧＷ２０に通知する（ステップＳ１９）。
【００６３】
次に、図１０を参照して、通信システム１における別の動作例を説明する。図１０は、第１の実施形態に係る通信システム１における動作の一例を示すシーケンス図である。図１０では、積算電力量に欠損がある場合の処理を示す。
【００６４】
図１０に示すように、ＨＧＷ２０は、計測装置１０から状変通知を受ける（ステップＳ２１）と、基準データが有る場合には、不揮発領域から基準となる積算電力量Ｖと時刻情報Ｔを取り出す（ステップＳ２２）。なお、ＨＧＷ２０から、計測装置１０に、変化の有無の確認を行ってもよい。この場合には、ＨＧＷ１０が例えば、１時間などの所定の時間ごとに計測装置１０に変化の有無の確認を要求する。そして、ＨＧＷ２０は、計測装置１０に、１時間前の計測量履歴データ（差分電力量）データを要求し（ステップＳ２３）、計測装置１０は、１時間前の差分電力量ｖ１及びその時刻ｔ１を送信する（ステップＳ２４）。
【００６５】
ＨＧＷ２０は、基準データの時刻Ｔと、計測装置１０から送信を受けた差分電力量データの時刻ｔ１との差が１時間でないことを確認した場合（ステップＳ２５）、基準データの時刻と時刻ｔ１との間における計測データを計測装置１０から取得できていない、すなわち欠損が生じているとして、欠損期間である「ｔ１−Ｔ」を計算する（ステップＳ２６）。
【００６６】
そして、ＨＧＷ２０は、欠損している期間の各計測量履歴データを計測装置１０に要求し、計測装置１０は、要求された期間の各計測量履歴データをＨＧＷ２０に送信する（ステップＳ２７）。すなわち、ＨＧＷ２０は、１時間前、２時間前、・・・、ｔ１−Ｔ時間前の差分量データの送信を要求する。そして、計測装置１０は、１時間前の差分電力量データ（差分電力量＝ｖ１、時刻ｔ１）、２時間前の差分電力量データ（差分電力量＝ｖ２、時刻ｔ２）、・・・、（ｔ１−Ｔ）時間前の差分電力量データ（差分電力量＝ｖ（ｔ１−Ｔ）、時刻ｔ（ｔ１−Ｔ））を送信する。そして、ＨＧＷ２０は、１時間前、２時間前、・・・、ｔ１−Ｔ時間前の差分量データを受信し、各正時の積算電力量を計算する（ステップＳ２８）。
【００６７】
ＨＧＷ２０は、時刻が古い順から、基準データの積算電力量に差分電力量を加算する。ＨＧＷは、最も古い時刻ｔ（ｔ１−Ｔ）の場合には、基準である積算電力量Ｖに、時刻ｔ（ｔ１−Ｔ）の差分電力量を加算した（Ｖ＋ｖ（ｔ１−Ｔ））を、時刻ｔ（ｔ１−Ｔ）の積算電力量とする。そして、ＨＧＷ２０は、次の時刻については、積算電力量Ｖに、時刻ｔ（ｔ１−Ｔ）の差分電力量と、この時刻の差分電力量とを加算した量を、この時刻の積算電力量とする。そして、ＨＧＷ２０は、時刻ｔ１については、基準の積算電力量Ｖに、取得した全差分電力量（ｖ（ｔ１−Ｔ）＋・・・＋ｖ１）を加算した（Ｖ＋ｖ（ｔ１−Ｔ）＋・・・＋ｖ１）を、時刻ｔ１の積算電力量とする。
【００６８】
そして、ＨＧＷ２０は、計算した積算電力量のうち、最新の時刻ｖ１の積算電力量（Ｖ＋ｖ（ｔ１−Ｔ）＋・・・＋ｖ１）を、時刻ｖ１と共に記憶部２３の不揮発領域に保存して（ステップＳ２９）して、基準データを更新する。
【００６９】
ＨＧＷ２０がステップＳ２４で受信した最新の差分電力値データの時刻が本日の１５時であり、保存されている基準データの時刻が本日の１２時である場合を例にステップＳ２８，Ｓ２９の処理を具体的に説明する。この場合、ＨＧＷ２０は、１２−１３時、１３−１４時、１４−１５時の３つの時間帯の差分電力量を計測装置１０から取得する。そして、ＨＧＷ２０は、これらの差分電力量を古い順から基準である積算電力量に加算して１３時、１４時、１５時の積算電力量とする。すなわち、ＨＧＷ２０は、基準である１２時の積算電力量に１２−１３時の差分電力量を加算して１３時の積算電力量とする。また、ＨＧＷ２０は、１２時の積算電力量に、１２−１３時の差分電力量と１３−１４時の差分電力量とを加算して１４時の積算電力量とする。そして、ＨＧＷ２０は、１２時の積算電力量に、１２−１３時の差分電力量と１３−１４時の差分電力量と１４−１５時の差分電力量とを加算して１４時の積算電力量とする。そして、ＨＧＷ２０は、本日の１５時の積算電力量と、時刻１５時とを不揮発領域に保存し、基準データを更新する。
【００７０】
そして、ＨＧＷ２０は、計算により得られた、積算電力量と時刻との組を、（ｔ１−Ｔ）時間分、サーバ３０に送信する（ステップＳ３０）。すなわち、ＨＧＷ２０は、欠損していた、時刻（ｔ１−Ｔ）、・・・、ｔ１の各積算電力量（Ｖ＋ｖ（ｔ１−Ｔ）、・・・、を、Ｖ＋ｖ（ｔ１−Ｔ）＋・・・＋ｖ１）を、組にして、サーバ３０に送信する。サーバ３０は、受信した積算電力量を記憶部３３に保持すると、受信終了通知をＨＧＷ２０に通知する（ステップＳ３１）。なお、ＨＧＷ２０は、欠損の期間が長すぎて、計測装置１０内に欠損期間の差分電力量が一部しか保存されていない場合は、保存されている期間のデータを用いて積算電力量を計算し、サーバ３０に送信する。この場合は、ＨＧＷ２０が差分電力量を取得できなかった期間の積算電力量は、サーバ３０上でも欠損となる。
【００７１】
［第１の実施形態の効果］
このように、第１の実施形態では、計測装置１０とサーバ３０との間に位置するＨＧＷ２０が、計測装置１０が有する差分電力量データを基に毎正時の積算電力量を計算してサーバ３０に各時刻の積算電力量を送信する。また、第１の実施形態では、ＨＧＷ２０が、サーバ３０から要求期間における積算電力量を計算し、計算した要求期間における積算電力量をサーバ３０に出力している。
【００７２】
したがって、第１の実施形態では、計測装置１０が、差分電力量データを履歴データとして保持する構成であっても、サーバ３０は、所望の期間の積算電力量をＨＧＷ２０に要求するのみで、各時刻の積算電力量を適切に取得できる。この結果、第１の実施形態によれば、計測装置１０は、各計測時刻における積算電力量を記憶する必要がなくなるため、メモリ容量の増加が不要となる。さらに、第１の実施形態によれば、サーバ３０は、自身で積算電力量を計算する必要がないため、積算電力量を効率よく取得できるとともに、この積算量電力量を用いて、電力の見える化のためのグラフも効率的に作成することができる。
【００７３】
［第２の実施形態］
次に、第２の実施形態について説明する。第２の実施形態では、計測装置１０が、各時間帯の差分電力量データとともに、現在時刻の積算電力量を保持しており、ＨＧＷ２０が、この現在時刻の積算電力量を計測装置１０から取得可能である場合について説明する。例えば、計測装置１０が家庭の電力メータであれば、現在時刻の積算電力量は常に計測装置１０に表示されており、この積算電力量を計測装置１０との間の通信によってＨＧＷ２０が取得できる場合である。なお、計測装置１０、ＨＧＷ２０、サーバ３０の構成は、第１の実施形態と同様である。
【００７４】
図１１は、第２の実施形態に係る通信システムにおける動作の一例を示すシーケンス図である。図１１は、ＨＧＷ２０が不揮発領域に基準データとなる積算電力量と時刻とを保持する場合の処理の一例を示す。
【００７５】
図１１に示すように、ＨＧＷ２０は、計測装置１０から状変通知を受ける（ステップＳ４１）と、計算の基準となる積算電力量が不揮発領域に保存されているので、この積算電力量を、時刻ｙｍｄＨＭとともに取り出す（ステップＳ４２）。なお、ＨＧＷ２０から、計測装置１０に、変化の有無の確認を行ってもよい。この場合には、ＨＧＷ１０が例えば、１時間などの所定の時間ごとに計測装置１０に変化の有無の確認を要求する。続いて、ＨＧＷは、現在時刻と取り出した時刻ｙｍｄＨＭとを比較し、欠損開始時間が「ｎ時間前」であることを計算する（ステップＳ４３）。
【００７６】
そして、図１０のステップＳ２７と同様に、ＨＧＷ２０は、欠損している期間の各計測量履歴データを計測装置１０に要求し、計測装置１０は、要求された期間の各計測量履歴データをＨＧＷ２０に送信する（ステップＳ４４）。
【００７７】
すなわち、ＨＧＷ２０は、１時間前、２時間前、・・・、ｎ時間前の差分量データの送信を要求し、計測装置１０から送信された１時間前、２時間前、・・・、ｎ時間前の差分量データを受信する。そして、ＨＧＷ２０は、不揮発領域から取り出した積算電力量と、計測量履歴である差分量電力量とから、毎正時の積算電力量を計算する（ステップＳ４５）。すなわち、ＨＧＷ２０は、図１０のステップＳ２８と同様に、時刻が古い順から、基準データの積算電力量に差分電力量をそれぞれ加算することによって、各正時の積算電力量を計算する。
【００７８】
そして、ＨＧＷ２０は、計算した積算電力量のうち、最新の時刻の積算電力量を、時刻と共に記憶部２３の不揮発領域に保存して（ステップＳ４６）、基準データを更新する。ＨＧＷ２０は、計算により得られた、ｙｍｄＨＭから現在の積算電力量と時刻との組を、ｎ時間分サーバ３０に送信する（ステップＳ４７）。サーバ３０は、受信した積算電力量を記憶部３３に保持すると、受信終了通知をＨＧＷ２０に通知する（ステップＳ４８）。
【００７９】
次に、図１２を参照して、ＨＧＷ２０が不揮発領域に基準データとなる積算電力量と時刻とを保持していない初回時或いは基準データを破棄する場合について説明する。具体的には、ＨＧＷ２０が不揮発領域に保持する時刻「ｙｍｄＨＭからｎ時間前」を計算したが、ｎが大きすぎてｎ時間前の計測量履歴(差分量データ)がすでに計測装置１０に残っていない場合や、計測装置１０の計測量履歴(差分量データ)に欠損がある場合である。図１２は、第２の実施形態に係る通信システムにおける動作の一例を示すシーケンス図である。
【００８０】
図１０に示すように、ＨＧＷ２０は、計測装置１０から状変通知を受ける（ステップＳ５１）と、計算の基準となる積算電力量が不揮発領域に保存されているか否かを確認する。なお、ＨＧＷ２０から、計測装置１０に、変化の有無の確認を行ってもよい。この場合には、ＨＧＷ１０が例えば、１時間などの所定の時間ごとに計測装置１０に変化の有無の確認を要求する。そして、ＨＧＷ２０は、計算の基準となる積算電力量が不揮発領域に保存されていない場合には（ステップＳ５２）、計測装置に対し、現在時刻の積算電力量を要求し、現在時刻の積算電力量を取得する（ステップＳ５３）。そして、ＨＧＷ２０は、基準データとして、取得した積算電力量を時刻と共に不揮発領域に保存する（ステップＳ５４）。
【００８１】
続いて、ＨＧＷ２０は、現在時刻の積算電力量をサーバ３０に送信する（ステップＳ５５）。ここで、サーバ３０は、補完指示（補完開始時間ｙｍｄＨＭ）を送信する場合がある（ステップＳ５６）、ＨＧＷ２０は、サーバ３０からの補完指示の有無を判定する（ステップＳ５７）。ＨＧＷ２０は、サーバ３０からの補完指示がないと判定した場合には（ステップＳ５７：Ｎｏ）、積算電力量の補間処理は行わず、処理を終了する。
【００８２】
これに対し、ＨＧＷ２０は、サーバ３０からの補完指示があると判定した場合には（ステップＳ５７：Ｙｅｓ）、受信したｙｍｄＨＭから、補完開始時間「ｎ時間前」を計算する（ステップＳ５８）。そして、そして、図１０のステップＳ２７と同様に、ＨＧＷ２０は、補完対象期間の各計測量履歴データを計測装置１０に要求し、計測装置１０は、要求された期間の各計測量履歴データをＨＧＷ２０に送信する（ステップＳ５９）。
【００８３】
すなわち、ＨＧＷ２０は、１時間前、２時間前、・・・、ｎ時間前の差分量データの送信を要求し、計測装置１０から送信された１時間前、２時間前、・・・、ｎ時間前の差分量データを受信する。そして、ＨＧＷ２０は、減算時刻の積算電力量と、計測量履歴である差分量電力量とから、毎正時の積算電力量を計算する（ステップＳ６０）。この場合、ＨＧＷ２０は、基準となる現在時刻の積算電力量から、時刻が新しい順から、差分電力量をそれぞれ減算することによって、各正時の積算電力量を計算する。
【００８４】
そして、ＨＧＷ２０は、計算した積算電力量のうち、最新の時刻の積算電力量を、時刻と共に記憶部２３の不揮発領域に保存して（ステップＳ６１）、基準データを更新する。ＨＧＷ２０は、計算により得られた、補完開始時間ｙｍｄＨＭから現在の積算電力量と時刻との組を、ｎ時間分サーバ３０に送信する（ステップＳ６２）。サーバ３０は、受信した積算電力量を記憶部３３に保持すると、受信終了通知をＨＧＷ２０に通知する（ステップＳ６３）。
【００８５】
［第２の実施形態の効果］
第１の実施形態では、ＨＧＷ２０は、最初に、基準となる積算電力量の値を「０」と設定して処理を始めていた。これに対し、第２の実施形態では、ＨＧＷ２０は、計測装置１０と通信を行うことで、現在時刻の実際の積算電力量を、初期値としている。
【００８６】
例えば、ＨＧＷ２０は、欠損の期間が長すぎて、すでに計測装置１０内に当該期間の履歴データとして差分電力量の一部しか保存されていない場合を例にする。この場合、第２の実施形態では、保存されている積算電力量を破棄し、計測装置１０と通信して現在時刻の積算電力量を取得して改めて積算電力量の初期値として設定する。さらに、ＨＧＷ２０は、計測装置１０に保存されている期間の差分量データを、現在時刻の積算電力量から新しい順にそれぞれ差分量を減算することで、積算電力量を計算し、サーバ３０に送信する。したがって、第２の実施形態では、ＨＧＷ２０は、現在時刻の実際の積算電力量を用いて、毎正時の積算電力量を計算するため、計算精度も高くなる。
【００８７】
また、第２の実施形態では、取得できなかった期間の積算電力量は、サーバ３０上でも欠損となる。ただし、第１の実施形態では、欠損が生じた期間は完全に積算電力量が失われているのに対し、第２の実施形態では、欠損期間の前後の積算電力量の差を取ればその期間の変化量（電力データであれば電力使用量）を正しく求めることができる。
【００８８】
［第１，第２の実施形態の変形例］
第１，第２の実施形態では、サーバ３０が、ＨＧＷ２０が計算した毎正時の積算電力量を保持する例について説明したが、これに限らない。ＨＧＷ２０自身が、計算した毎正時の積算電力量を保持してもよい。
【００８９】
図１３は、第１，第２の実施形態に係るＨＧＷ２２０の構成の他の例を示す図である。図１３に示すように、第１，第２の実施形態に係るＨＧＷ２２０は、図４に示す制御部２２と記憶部２３に代えて、制御部２２２と、記憶部２２３を有する。
【００９０】
記憶部２２３は、積算電力量計算部２２ｂが計算した計算対象の時刻における積算電力量を保持する保持部３３１を有する。保持部３３１は、毎正時の積算電力量を、時刻情報に対応付けた積算電力量データを記憶する積算電力量データ記憶部３３ａを有する。
【００９１】
制御部２２２は、図４に示す制御部２２と比して、格納部２３２ｄをさらに有する。格納部２３２ｄは、積算電力量計算部２２ｂが計算した積算電力量と、該積算電力量に対応する時刻とを対応付けて、保持部３３１の積算電力量データ記憶部３３ａに格納する。
【００９２】
このように、積算電力量計算部２２ｂが計算した積算電力量データは、サーバ３０に限らず、ＨＧＷ２２０が保持してもよい。そして、ＨＧＷ２２０は、保持する積算電力量データを、他の装置からの要求にしたがって、要求期間に応じた分、送信してもよい。
【００９３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９４】
１  通信システム
１０  計測装置
１１，２１，３１  通信部
１２，２２，３２，２２２  制御部
１２ａ  取得部
１２ｂ，２２ｃ  送信部
１３，２３，３３，２２３  記憶部
１３ａ  差分電力量データ記憶部
２０  ＨＧＷ（ゲートウェイ装置）
２２ａ  要求部
２２ｂ  積算電力量計算部
２３ａ  基準データ記憶部
３２ａ，２３２ｄ  格納部
３２ｂ  通知部
３３ａ  積算電力量データ記憶部
３３１  保持部
【図１】
2019061411.tif 000003
【図２】
2019061411.tif 000004
【図３】
2019061411.tif 000005
【図４】
2019061411.tif 000006
【図５】
2019061411.tif 000007
【図６】
2019061411.tif 000008
【図７】
2019061411.tif 000009
【図８】
2019061411.tif 000010
【図９】
2019061411.tif 000011
【図１０】
2019061411.tif 000012
【図１１】
2019061411.tif 000013
【図１２】
2019061411.tif 000014
【図１３】
2019061411.tif 000015